(57)【要約】セクターギヤに依存せずにスイッチのカットオフ制御を行えるようにして、模擬銃におけるピストンシリンダー機構や電動機構などのレイアウト上の制約を解消する。ピストンシリンダー機構の一回の往復動作にて一回の弾丸発射を行う単発モードと、複数回の往復動作にて複数回の弾丸発射を行う連発モードの何れかを選択するために、電動機の駆動回路を制御する切り替え機構（５５）を具備し、切り替え機構は、少なくとも単発モードと連発モードを選択するために設けたセレクター部と、トリガーの操作により駆動回路を閉じるスイッチ（１８（５３））と、単発モード選択時にスイッチを切るカットオフ部材（５４）とを有し、ピストンシリンダー機構の可動部とカットオフ部材との係合箇所が、可動部の往復動作方向において前部に設定され、可動部の後退開始後に上記前部がカットオフ部材と係合するまでのタイミング選択の範囲を広げられるようにした。
2016151764.tif 000002
【特許請求の範囲】
【請求項１】
ピストンシリンダー機構を有し、その可動部を電動機構により一方向へ駆動することにより加圧手段を蓄圧し、加圧手段の解放によりピストンシリンダー機構を上記と逆方向に駆動し、弾丸を発射するための圧縮エアを生成する構成を備えた模擬銃において、ピストンシリンダー機構の一回の往復動作にて一回の弾丸発射を行う単発モードと、ピストンシリンダー機構の複数回の往復動作にて複数回の弾丸発射を行う連発モードの何れかを選択するために、電動機の駆動回路を制御する切り替え機構を具備し、切り替え機構は、少なくとも単発モードと連発モードを選択するために設けたセレクター部と、トリガーの操作により駆動回路を閉じるスイッチと、単発モード選択時に上記可動部の一方向駆動と係合してスイッチを切るカットオフ部材とを有しており、ピストンシリンダー機構の可動部とカットオフ部材との係合箇所は、可動部の往復動作方向において前部に設定されており、可動部の後退開始後に上記前部がカットオフ部材と係合するまでのタイミング選択の範囲を広げられるようにしたことを特徴とする電動機構のカットオフ装置。
【請求項２】
模擬銃は長銃型であって、ピストンシリンダー機構と電動機構とが離れて配置され、上記ピストンシリンダー機構が一般的なピストンシリンダー機構よりも長く形成されている請求項１記載の模擬銃における電動機構のカットオフ装置。
【請求項３】
セレクター操作部は銃本体側の取り付け部材に支軸を用いて組み付けられており、上記支軸と同軸に設けられたセレクタークリック、セレクタークリックと同軸の歯車及びそれと噛合うラック歯を有するとともに、歯車の回転によりそれと噛合い前後に移動可能なラック歯を備えたセレクター部材を有しており、上記セレクター操作部の操作によりセレクター部材と一体に前後に移動可能に設けられ、一方向への移動によりトリガーと係合して操作を停止し、他方向への移動により上記係合から外れトリガーの操作を許容するように構成された請求項１記載の模擬銃における電動機構のカットオフ装置。
【発明の詳細な説明】
【技術分野】
【０００１】  本発明は、ピストンシリンダー機構を有し、その可動部を電動機構により一方向へ駆動することにより加圧手段を蓄圧し、加圧手段の解放によりピストンシリンダー機構を上記と逆方向に駆動し、弾丸を発射するための圧縮エアを生成する構成を備えた模擬銃における電動機構のカットオフ装置に関するものである。
【背景技術】
【０００２】  模擬銃には電動ガンと呼ばれるものがあり、これは本件出願人の出願である特開平３−２２１７９３号（特公平７−４３２３８号）のオートマチック式エアガンの発明を嚆矢とするもので、ガスガンのようにガス切れの心配のないことから広く用いられている。電動ガンには、セミオートモードと呼ばれ、トリガーを一回引くごとに一回の発射が行われる単発モードと、フルオートモードと呼ばれ、トリガーを引いている間連続して発射が行われる連発モードを選択できる発射モード選択機構を備えているものがある。【０００３】  発射モード選択機構の制御は、電動機の駆動回路をオンオフすることでなされるので、トリガー操作と電動機とを何らかの形で連動させる必要がある。トリガーは、一般的に、ピストンシリンダー機構を駆動する電動機と大きく離れてはいないため、従来の電動ガンでは、トリガーと電動機の連動を電動機により駆動されるセクターギヤを用いてスイッチのオンオフ制御を行っていた。セクターギヤはピストン側に設けたラックと噛合ってピストンを後退させるもので、その一回転ごとに一回の発射が行われるためスイッチのオンオフ制御に好都合である。【０００４】  セクターギヤは駆動源である電動機に近い位置にあり、セクターギヤとスイッチを連動させるために、これらを近くに配置する必要がある。セクターギヤとスイッチを近くに配置しなければならないというのは制約になり、模擬銃におけるピストンシリンダー機構や電動機構などのレイアウトの自由度を低下させるという問題があった。また、その制約はレイアウトに止まらず、セクターギヤがトリガーから相対的に遠い位置にある種類の模擬銃では電動化が難しいことを意味する。このため、上記従来の方式を用いて長銃型の電動ガンをモデル化する場合には、例えば、ピストンシリンダー機構の長さを短くするほかはないなど、製品開発の障害となっていた。【０００５】  さらに、特開２００６−３００４６２号の発明ではモーターへの通電が遮断された後、慣性回転によりセクターギヤがラックとの噛合いから脱して、ピストンシリンダー機構の可動部材が戻る動作でトリガーと係合させるようにし、スイッチングの確実性を図っている。この方法は特開平３−２２１７９３号の発明と基本的に同趣旨であり、このように、セクターギヤとスイッチはごく限定される配置を取ることが、技術的な常識のようになっている。その結果、モデルが前後に長い長銃型の電動ガンであるにも拘らず、ピストンシリンダー機構を短くするほかはなく、セクターギヤとスイッチを離して配置することは上記従来の方式を用いる限りできないという問題があった。【０００６】
【特許文献１】特開平３−２２１７９３号
【特許文献２】特開２００６−３００４６２号
【発明の開示】
【発明が解決しようとする課題】
【０００７】  本発明は前記の点に鑑みてなされたもので、その課題は、セクターギヤに依存せずにスイッチのカットオフ制御を行えるようにして、模擬銃におけるピストンシリンダー機構や電動機構などのレイアウト上の制約を解消することである。また、本発明の他の課題は、例えば、長銃型の銃がモデルの電動ガンであっても、その長さのまま無理なく実現することができる模擬銃における電動機構のカットオフ装置を提供することである。
【課題を解決するための手段】
【０００８】  前記の課題を解決するため、本発明は、ピストンシリンダー機構を有し、その可動部を電動機構により一方向へ駆動することにより加圧手段を蓄圧し、加圧手段の解放によりピストンシリンダー機構を上記と逆方向に駆動し、弾丸を発射するための圧縮エアを生成する構成を備えた模擬銃において、ピストンシリンダー機構の一回の往復動作にて一回の弾丸発射を行う単発モードと、ピストンシリンダー機構の複数回の連続した往復動作にて複数回の弾丸発射を行う連発モードの何れかを選択するために、電動機の駆動回路を制御する切り替え機構を具備し、切り替え機構は、少なくとも単発モードと連発モードを選択するために設けたセレクター部と、トリガーの操作により駆動回路を閉じるスイッチと、単発モード選択時に上記可動部の一方向駆動と係合してスイッチを切るカットオフ部材とを有しており、ピストンシリンダー機構の可動部とカットオフ部材との係合箇所は、可動部の往復動作方向において前方に設定されており、それにより可動部の後退開始後に上記前部がカットオフ部材と係合するまでのタイミング選択の範囲を広げられるようにしたという構成を有するものである。【０００９】  本発明の模擬銃は、ピストンシリンダー機構を有しており、その可動部を電動機構により一方向へ駆動することにより加圧手段を蓄圧し、加圧手段の解放によりピストンシリンダー機構を上記と逆方向に駆動し、弾丸を発射するための圧縮エアを生成する構成を備えている。ピストンシリンダー機構はシリンダーとピストンの組み合わせであり、多くの場合はピストンが可動部となりシリンダーに対して往復動作し、圧縮エアを生成する構成であるが、この逆の構成を取ることもあり得る。圧縮のために動く側が本発明における可動部である。【００１０】  可動部により蓄圧される加圧手段は多くが弾性部材、それもコイルスプリングに代表されるばねが一般的である。この種のばねは蓄圧された力が一挙に解放されることで、可動部を瞬時に作動させ圧縮エアを容易に得ることができる。そして、可動部の往復動の長さはいわゆる短銃型では短く、長銃型では長いことも望まれるが、本発明によれば前後の長さが制約にならず、モデルの正確な再現に寄与する効果につながる。【００１１】  本発明のカットオフ装置は、ピストンシリンダー機構の一回の往復動作にて一回の弾丸発射を行う単発モードと、ピストンシリンダー機構の複数回の連続した往復動作にて複数回の弾丸発射を行う連発モードの何れかを選択するために、電動機の駆動回路を制御する切り替え機構を具備する。この構成それ自体が新規なものというわけではないが、切り替え機構を備えることは本発明において必要な一つの要件である。【００１２】  上記切り替え機構は、少なくとも単発モードと連発モードを選択するために設けたセレクター部と、トリガーの操作により駆動回路を閉じるスイッチと、単発モード選択時に上記可動部の一方向駆動と係合してスイッチを切るカットオフ部材とを有している。本発明において、カットオフ部材は可動部との係合により作動するもので、セクターギヤには依存しない。なお、単発モードは１回毎の発射モードの意味で用いており、１発の発射という意味ではないので、複数のバレルを有��る模擬銃の場合には１回の発射操作で複数個の弾丸が発射される。【００１３】  上記ピストンシリンダー機構の可動部とカットオフ部材との係合箇所は、可動部の往復動作方向において前部に設定されており、それにより可動部の後退開始後に上記前部がカットオフ部材と係合するまでのタイミング選択の範囲を広げられるように構成されている。可動部の往復動作方向前部における係合では、後部における係合よりも係合までの時間を長く設定することができる。係合までの時間が短い場合、慣性力によりカットオフをすることになるが、係合までの時間が十分に長いため動力によりカットオフされ、より確実性が高められる。【００１４】  模擬銃が長銃型であって、ピストンシリンダー機構と電動機構とが離れて配置され、上記ピストンシリンダー機構が一般的なピストンシリンダー機構よりも長く形成されているという構成は、一つの好ましい形態である。ピストンシリンダー機構が十分なストロークを備えているほど強力な圧縮エアを生成することができるが、それにはピストンシリンダー機構の長さに制約の少ないことが条件になる。他方、ピストンシリンダー機構が十分な動作ストロークを備えていれば、ピストンシリンダー機構の可動部とカットオフ部材との係合箇所もトリガーとの位置関係が離れる傾向になる。本発明はこのような場合にも無理なく電動機構のカットオフ装置を構成することができる。
【発明の効果】
【００１５】  本発明は以上のように構成され、かつ、作用するものであるから、セクターギヤに依存せずに電動機構のスイッチのカットオフを制御することができ、模擬銃における機構や電動機構などのレイアウト上の制約を解消することができるとともに、係合までの時間が十分に長く設定できるため動力によりカットオフされ、より確実性が高められるという効果を奏する。また、本発明によれば、例えば、長銃型の銃がモデルの電動ガンであっても、その長さのまま無理なく実現することができる模擬銃における電動機構のカットオフ装置を提供することができる。
【発明を実施するための最良の形態】
【００１６】  以下図示の実施形態を参照して本発明をより詳細に説明する。図１は本発明の電動機構のカットオフ装置を適用した長銃型模擬銃の全体図であり、模擬銃は複数弾発射型電動ガンＧを示している。電動ガンＧは３個のバレル１１、１２、１３を有しており、従って、圧縮エア生成部１０は、３個のシリンダー２１、２２、２３から成るシリンダーアセンブリー２０と、３個のピストン３１、３２、３３から成るピストンアセンブリー３０及びピストンアセンブリー３０を駆動する電動機構４０を有して構成されている。【００１７】  バレル後部には装弾アセンブリー５０が設けられ、その下部には着脱式のマガジン５１が装着されている。装弾アセンブリー５０において、３個のバレル１１、１２、１３の後端内部にそれぞれ弾丸Ｂを配置する装弾部１４が設定されており、装弾部１４には弾道調節用のホップアップ機構１５が設けられている。また、３個のバレル１１、１２、１３の後端外部は接続パッキング１６が覆っており、接続パッキング１６はゴム等柔軟性素材を用いて形成されたシール性能を有するものから成る（図２）。【００１８】  圧縮エア生成部１０は、複数弾発射型電動ガンＧにおいて各バレル１１、１２、１３から弾丸Ｂを発射するために各弾丸Ｂに噴射するエアを生成する部分である。バレル自体は３個が正面から見て三角形状となるように組み合わされ、電動ガンＧの内部にあってその後方には圧縮エア生成部１０が配置されている。圧縮エア生成部１０を構成する前記のシリンダーアセンブリー２０、ピストンアセンブリー３０及び電動機構４０は、この順にてほぼ一直線状に配置されている。【００１９】  シリンダーアセンブリー２０は、３個のバレル１１、１２、１３の後部に位置し、エア噴射ノズル２４を先端に有し、内部をピストン３１、３２、３３が往復運動する３個のシリンダー２１、２２、２３を有している。図示のシリンダーアセンブリー２０は、３個のパイプ部材２５と、各パイプ部材２５を先端部にて固定する前部固定部材２６と、各パイプ部材２５を後端部にて固定する後部固定部材２７を有して構成されている（図３、図４参照）。【００２０】  上記エア噴射ノズル２４は前部固定部材２６に設けられており、後部固定部材２７にはピストンの挿入口２５ａが開口している。噴射ノズル２４は、パイプ取り付け部材２５ｂの正面に設けられており、パイプ取り付け部材２５ｂは前部固定部材２６の後面に止め具２５ｃにて取り付けられている。上記パイプ取り付け部材２５ｂは、パイプ部材２５の内部に嵌め合わされる位置関係にて、シール手段２６ａを用いて気密に組み立てられている（図４）。【００２１】  図示の実施形態に示されているように、装弾部１４とエア噴射ノズル２４にはインターノズル２８が接続され、ノズルベース２９により前後方向へ移動可能に設けられている。インターノズル２８は噴射ノズル２４に対して気密的に摺動し、圧縮エア生成部１０にて生成された圧縮エアを弾丸に噴射する位置にある。インターノズル２８は、ノズルベース２９の立ち上がり部２９ａに取り付けられ、模擬銃Ｇの本体に前進後退可能に組みこまれている。【００２２】  従って、インターノズル２８は、後述するピストン３１、３２、３３の後退���作に伴って、後述するラッチ部材４９との係合により後退し、ノズルベース２９に作用する付勢手段２９ｂのバネにより前進する（図２参照）。そして、その先端は接続パッキング１６に対しても気密的に摺動し、接続パッキング１６から離れて、弾丸Ｂがバレル後端部に押し上げられる隙間を開けるために後退し、その後、弾丸Ｂを装弾部１４に押し込むために前進するように構成されている。【００２３】  上記エア噴射ノズル２４は、３個のシリンダー２１、２２、２３の各パイプ部材２５、２５、２５の中心に寄った位置に設けられている。これは図示の例における複数個のバレル１１、１２、１３が３個であるために、バレルよりも大径となるシリンダーパイプの中心と合わせることができないために取られた対策である。よって、エア噴射ノズル２４の位置は、バレルとシリンダーパイプの中心の位置との関係から決められる。【００２４】  上記ピストンアセンブリー３０は、各シリンダー２１、２２、２３の内部を往復運動して圧縮エアを生成する３個のピストン３１、３２、３３を有している。また、これら３個のピストン３１、３２、３３は、後方の結合部３４にて一か所にまとめられ、また、往復運動方向に沿ったラック３６を有する１個のピストン軸３５を結合部と一体に設けて構成されている（図５参照）。【００２５】  ３個のピストン３１、３２、３３は、結合部３４に融通性をもって結合され、それによりピストン３１、３２、３３とシリンダー内壁面との間のシール性能が維持されるように構成されている。つまり、ピストンシリンダー機構を構成するピストンとシリンダーは、それらの位置関係又は嵌合の精度の高い方が高圧縮率を得易く、それにはそれぞれの軸芯も高精度で一致していなければならない。しかし、或る程度の融通性を持たせることによって、過度の精度を必要とせずに、高い圧縮率を得ることができる。【００２６】  上記の融通性を与えるため、本発明ではピストン３１、３２、３３を細長いロッド３７の先端に設けるとともに、ロッド３７の後方の結合部３４にて可動的に軸止するという構成を取っている。図示の実施形態では、ピストン往復運動方向に対してロッド３７を左右方向の支軸３７ａを用いて軸止し、ロッド３７が上下方向へ可動であるように構成されている。なお、ピストン３１、３２、３３には、図示されたＯ−リングをシール部材３８として用いて気密を維持している。【００２７】  ピストンシリンダー機構が三組から成る実施形態では、前記したようにピストンアセンブリー３０は正面から見て三組が三角形状に組み合わされ、その三組の中心部よりも下方にずれた位置関係をもって結合部３４にピストン軸３５が配置されており、下方にずれた部分の上部にラック３６が位置するように構成されている。このため、ラック３６の位置が三組の中心部に近くなり、電動機構４０の出力ギヤ４１の配置空間３９を稼ぐことができるとともに、出力ギヤ４１による駆動力も、中心線上に近い位置から、より効率的に伝達されるようになる。【００２８】  上記電動機構４０はピストンアセンブリー３０を後退させるとともに弾性部材４２を蓄圧し、蓄圧の解放によりエアを圧縮するために、ラック３６と噛合う出力ギヤ４１を駆動するように構成されて���る。詳細な図６を参照して説明すると、４３は電動機即ちモーター、４４はその回転軸に取り付けたピニオン、４５はそれと噛合う数段のギヤから成る減速歯車組を示しており出力ギヤ４１はセクターギヤから成る。セクターギヤ４１はラック３６と噛み合ってピストンアセンブリー３０を後退させる有歯部４１ａと、噛み合わずにピストンアセンブリー３０を前進可能にする無歯部４１ｂとを有している。【００２９】  ピストン軸３５は中空構造を有し、中空内部にコイルばねとして示された弾性部材４２によって前進方向へ付勢されている。上記コイルばねから成る弾性部材４２は一端がピストン軸中空内部の前端に接し、他端は電動機構４０内部に設けられているピストンの移動部４６である空所の後端にて支えられる。４７は凹凸構造から成るガイド部であり、ピストン軸３５の側面長手方向に設けられ、銃本体側に設けられた凹凸構造から成る係合相手の突部４６ａと係合し、直進のガイドとして機能する（図６参照）。【００３０】  実施形態の複数弾発射型電動ガンＧには、上記の他、図示しない電源電池や電源電池と電動機４３を結ぶ回路、電源のオンオフのためのスイッチ等、電動ガンとして作動上必要な機構が備わっているものとする。なお、符号１８はスイッチ、１９は３個のバレルを収めたアウターバレル、４８は発射モード選択のためのセレクター部、４９は前に触れたラッチ部材を示す。ラッチ部材４９はノズルベース２９の後端に上下可能な係合手段として支軸２９ａにより軸止されており、ピストン軸３５に設けられている係合相手部４９ａとの係合により後退可能であり、かつ、銃本体側に設けられている、解除部４９ｂとの接触により上記係合を解除可能に構成されている。４９ｃはバネを示しており、ラッチ部材４９を係合相手部４９ａとの係合方向へ付勢する手段である（図２参照）。なお、ノズルベース２９には前方への付勢手段としてバネ２９ｂが作用しており、供給された弾丸Ｂを装弾部１４へ押し出すように構成されている。【００３１】  本発明のカットオフ装置は、上記のような構成を備えた模擬銃Ｇにおいて、トリガー操作により起動した電動機構４０の作動を遮断するものである。これまでの説明からも理解されるように、模擬銃Ｇは長銃型であって、ピストン３１、３２、３３はストローク分だけ後退可能であり、従って、ピストンシリンダー機構は上記ストロークの２倍余りの最大長さを持ち、そのピストンシリンダー機構の後端部に電動機構が配置されている。上記ピストンシリンダー機構のストロークは一般的なピストンシリンダー機構よりも長く形成されており、必要な圧力の圧縮エアを無理なく生成することができる。【００３２】  本発明のカットオフ装置は、ピストンシリンダー機構の一回の往復動作にて一回の弾丸発射を行う単発モードと、ピストンシリンダー機構の複数回の往復動作にて複数回の弾丸発射を行う連発モードの何れかを選択するものである。そのために、電動機４３の駆動回路を制御する切り替え機構５５を具備しており、上記切り替え機構５５は、少なくとも単発モードと連発モードを選択するために設けたセレクター操作部５２と、トリガーの操作により駆動回路を閉じるスイッチ１８を構成するスイッチング部材５３と、単発��ード選択時に上記可動部の一方向駆動と係合してスイッチング部材５３を開くカットオフ部材５４とを有している（図７Ａ参照）。なお、セレクター操作部５２はカットオフ部材５４とは反対側にある（図７Ｂ参照）。【００３３】  セレクター操作部５２は、実施形態の例ではトリガー１７を操作できないようにロックするセフティモード：Ｓ、一回のトリガー操作で一回の弾丸発射を行う単発モード：・、トリガー１７を操作中は何回でも弾丸発射を繰り返す連発モード：Ｆの三つのモードを選択できるように構成されている（図７Ｂ等参照）。セレクター操作部５２は支軸５２ａにより回転可能にシリンダーアセンブリー下部の取り付け部材に組み付けられており、支軸５２ａと同軸、かつ反対側に位置するセレクタークリック５６、セレクタークリック５６と同軸の歯車５６ａと噛合い、その回転により前後に移動可能なセレクター部材５７を有している（図８Ｂ参照）。５７ａは上記噛合いのためのラック歯を示しており、歯車５６ａはセレクタークリック５６の裏面にある。【００３４】  スイッチング部材５３はスイッチ１８を構成するもので、本体が支軸５３ａによりスイッチ取付け部材５３ｂに回転可能に軸支されており、スイッチング部材５３の本体にはスイッチオフの方向に作用するばね５３ｅが取り付けられている（図９参照）。スイッチング部材５３は、本体先端のコア５３ｃとスイッチ端子５３ｄとの接触によりオン、非接触の時にオフとなる。また、スイッチング部材５３は、トリガー１７の上部に設けた加圧部１７ａによって加圧される部分５３ｆを後部に有している。従って、トリガー１７には、引く操作に対抗する方向に作用するばね１７ｃが設けられている。【００３５】  カットオフ部材５４は、銃本体側に支軸５４ａにより回転可能に取り付けられており、その一方の端部５８はピストンシリンダー機構の後端部側に伸び、他方の端部５９はスイッチング部材５３側に伸びている。一方の端部５８は可動部であるピストン３１、３２、３３の内の１個のピストン３３のヘッド部と係合可能なようにほぼＬ字状に形成されており、係合のために、上記ヘッド部の後端を露出させる切欠き２３ａが対応するシリンダー２３の後端部に形成されている。カットオフ部材５４の他方の端部５９はスイッチング部材５３に形成された一部５３ｇと係合可能に設けられている（図７Ａ参照）。また、カットオフ部材５４はばね５４ｂによって、一方の端部５８がシリンダーの切欠き２３ａに接する方向へ付勢されている（図８Ａ参照）。【００３６】  トリガー１７にはトリガー係止部６０が組み合わされている。このトリガー係止部６０はセレクター部材５７と一体に移動可能に軸支され、トリガー１７に設けた突部１７ｂとの係合によりトリガー１７を固定する突部固定部６０ａを有する。セレクター係止部６０は、セレクター部材５７と一体に形成することで、セレクター操作部５２のモード選択操作によりトリガー１７を操作可能にする。なお、セレクタークリック５６は三つのモードの位置でクリック感を生じて固定されるが、クリック感を与える機構は従来公知の方法により実施することができる。上記三つのモードはセフティ：Ｓ、セミオート：・、フルオート：Ｆのような表示６１であらわされている（図７Ｂ等参照）。【００３７】  このように構成された本発明のカットオフ装置の作動について、図１０以下を参照して説明する。電動ガンである模擬銃は作動可能な状態にあるものとする。図１０Ａはセレクター操作部５２の位置から明らかなようにセフティ時を示しており、ピストンシリンダー機構はピストン３１、３２、３３が前進位置にあり、トリガー係止部６０がトリガー１７を係止しているため、トリガー１７を操作することができない。そして、スイッチ１８を構成するスイッチング部材５３はオフであり、カットオフ部材５４は一方の端部５８がシリンダー２３の切欠き２３ａから内部へ突き出た状態にある。この状態にてセレクター操作部５２をセミオート：・に切り替え、セレクター部材５７を後方へ移動させることで、トリガー係止部６０の係止が外れてトリガー１７を引き得る状態になる（図１０Ｂ）。【００３８】  トリガー１７を引くと、その上部の加圧部１７ａがスイッチング部材５３の部分５３ｆを加圧するので、押されたコア５３ｃとスイッチ端子５３ｄとが接触しスイッチング部材５３がオンとなる（図１１Ａ）。スイッチング部材５３のオン動作により駆動回路が閉成し、電動機構４０が起動することでピストン３１、３２、３３が後退を開始する。ピストン３１、３２、３３が後退限界付近に達して、カットオフ部材５４の一方の端部５８に当たりこれを押し下げると、カットオフ部材５４は図中反時計方向へ回転する（図１１Ｂ）。上記回転によりカットオフ部材５４の他方の端部５９が係合している、スイッチング部材５３の一部５３ｇを跳ね上げて、コア５３ｃとスイッチ端子５３ｄとが離れてスイッチ５３はオフとなる（図１２Ａ）。つまり、ピストン３１、３２、３３は後退限界まで確実に駆動されている。なお、ピストン３１、３２、３３が後退を開始した後、ラッチ部材４９と係合相手部４９ａが係合し、解除部４９ｂにより係合が解除され、ノズルベース２９が後退、前進するまでの間に次弾の装填がなされる。【００３９】  スイッチング部材５３がオフになると同時に、電動機構４０のセクターギヤ４１が有歯部４１ａから無歯部４１ｂに移り、ラック３６との噛合いから外れる。その結果、弾性部材４２の蓄圧が解除され、ピストン３１、３２、３３が前進限界まで瞬間的に移動し、シリンダー内部のエアが圧縮され、圧縮エアとして噴射ノズル２４から噴射される（図１２Ａ）。ピストン３１、３２、３３が前進することで、カットオフ部材５４はその一方の端部５８がシリンダー２３の後端部に突き出す状態になり、他方の端部５９は下がってスイッチング部材５３を跳ね上げなくなり、カットオフが終了する（図１２Ｂ）。このようにして、ピストンシリンダー機構の一回の往復動作にて一回の弾丸発射を行う単発モードが行われ、３個のバレル１１、１２、１３から各１発ずつ計３個の弾丸Ｂが発射される。【００４０】  セレクター操作部５２をフルオート：Ｆに切り替えることで、弾丸Ｂを連続して発射させることができる。フルオートモードでは、セレクター操作部５２の切り替えによりセレクター部材５７と共にトリガー係止部６０がさらに後退し、トリガー係止部６０の後退に伴ってそのカム部６０ｂがカットオフ部材５４に設け���係合部５４ｃと係合する（図１３参照）。カム部６０が係合部５４ｃと係合することで、カットオフ部材５４をカム面の形状に従って上方へ回転、移動する。カットオフ部材５４は上方へ回転、移動することで、スイッチ５３から離れ、カットオフ機構が無効化される。その結果、トリガー１７を引き続ける間スイッチング部材５３がオンの状態を保ち、ピストンシリンダー機構は往復動作を繰り返すので、弾丸Ｂを３発ずつ、連続発射することができる。
【図面の簡単な説明】
【００４１】
【図１】本発明に係る電動機構のカットオフ装置を適用した模擬銃の一例を示す側面説明図である。
【図２】同じく電動機構のカットオフ装置を適用した模擬銃の要部を拡大して示す断面説明図である。
【図３】同じく模擬銃に用いるシリンダーアセンブリーとピストンアセンブリーを分解して示す斜視図である。
【図４】同じく模擬銃に用いるシリンダーアセンブリーを示すもので、Ａは側面図、Ｂは中央縦断面図である。
【図５】同じくピストンアセンブリーを示す側面図である。
【図６】同じく電動機構を示す説明図である。
【図７】同じく切り替え機構を示すもので、Ａは全体の斜視図、Ｂはセレクター操作部を設けたＡと反対側の面を示す側面説明図である。
【図８】同じく切り替え機構を示すもので、Ａは左側面図、Ｂは右側面図である。
【図９】スイッチの一例を示すもので、Ａは斜視図、Ｂは平面図、Ｃは右側面図である。
【図１０】本発明に係る模擬銃における電動機構のカットオフ装置の作動を示すもので、Ａはセレクター操作部をセフティモードにした発射準備完了状態、Ｂは同じくセミオートモード状態をそれぞれ示す断面説明図である。
【図１１】同じく模擬銃における電動機構のカットオフ装置の作動を示すもので、Ａはトリガーを引いてスイッチがオンとなりピストンが後退し始めた状態、Ｂはピストンが後退限界付近に達してカットオフ部材がスイッチを跳ね上げオフとした状態をそれぞれ示す断面説明図である。
【図１２】同じく模擬銃における電動機構のカットオフ装置の作動を示すもので、Ａはピストンが前進して圧縮エアが生成された状態、Ｂはスイッチが原状に復した状態をそれぞれ示す断面説明図である。
【図１３】フルオートモードにてカットオフ機構が無効化される状態を示す断面説明図である。
【符号の説明】
【００４２】  １０  圧縮エア生成部  １１、１２、１３  バレル  １４  装弾部  １５  ホップ機構  １６  接続パッキング  １７  トリガー  １８  スイッチ部  １９  アウターバレル  ２０  シリンダーアセンブリー  ２１、２２、２３  シリンダー  ２４  噴射ノズル  ２５  パイプ部材  ２６  前部固定部材  ２７  後部固定部材  ２８  インターノズル  ２９  ノズルベース  ３０  ピストンアセンブリー  ３１、３２、３３  ピストン  ３４  結合部  ３５  ピストン軸  ３６  ラック  ３７  ロッド  ３８  シール部材  ３９  ギヤ配置空間  ４０  電動機構  ４１  出力ギヤ  ４２  弾性部材  ４３  電動機  ４４  ピニオン  ４５  減速歯車組  ４６  ピストン移動部  ４７  ガイド溝  ４８  セレクター  ４９  ラッチ部材  ５０  装弾アセンブリー  ５１  マガジン  ５２  セレクター操作部  ５３  スイッチング部材  ５４  カットオフ部材  ５５  切り替え機構  ５６  セレクタークリック  ５７  セレクター部材  ５８  一方の端部  ５９  他方の端部  ６０  トリガー係止部  ６１  表示
【図１】
2016151764.tif 000003
【図２】
2016151764.tif 000004
【図３】
2016151764.tif 000005
【図４】
2016151764.tif 000006
【図５】
2016151764.tif 000007
【図６】
2016151764.tif 000008
【図７】
2016151764.tif 000009
【図８】
2016151764.tif 000010
【図９】
2016151764.tif 000011
【図１０】
2016151764.tif 000012
【図１１】
2016151764.tif 000013
【図１２】
2016151764.tif 000014
【図１３】
2016151764.tif 000015
【国際調査報告】
2016151764.tif 000016
2016151764.tif 000017
2016151764.tif 000018